(57)【要約】【課題】  状態を検出手段により認識し、気象情報が予め設定した降水確率等の数値が一定以上になった場合に気象情報を自動的に通知する方法の確立が求められている。【解決手段】  本発明は、パソコンと無線もしくは有線にてＲＦ−ＩＤタグ用リーダーライターを接続し、ＲＦ−ＩＤタグを検出する認識する。  そして、パソコンは、ＲＦ−ＩＤタグを検出した場合のみに、インターネットより入手した気象情報が降水確率等の予め設定された数値を上回った場合にのみ、予めパソコンに登録した利用者の携帯電話に対して、自動的に気象情報を配信するため、利用者の利便性が高い気象情報自動通知システムの構築し、課題を解決するものである。【選択図】  図１
2005267149.tif 000002
【特許請求の範囲】
【請求項１】
ＲＦ−ＩＤタグ用リーダーライターとＲＦ−ＩＤタグよりなる自動認識物体検出手段と気象データ取得手段と、前記物体検出手段と気象情報取得手段からの情報に基づき特定の携帯端末に対して情報配信する情報配信手段とからなる情報配信通知システム。
【請求項２】
ＲＦ−ＩＤタグを搭載する利用者カードをＲＦ−ＩＤタグ用リーダーライターにかかげて、状態を検出手段と気象データ取得手段と、前記物体検出手段と気象情報取得手段からの情報に基づき特定の携帯端末に対して情報配信する情報配信手段とからなる情報配信通知システム。
【発明の詳細な説明】
【技術分野】
【０００１】
ＲＦ−ＩＤタグ用リーダーライターとＲＦ−ＩＤタグよりなる検出手段と気象データ取得手段と、前記検出手段と気象情報取得手段からの情報に基づき特定の携帯端末等に対して情報を自動配信する情報通知システムである。
【背景技術】
【０００２】
広く物流管理等で普及しているバーコードに代わり、今後普及が期待される自動認識システムであるＲＦ−ＩＤ（Ｒａｄｉｏ  Ｆｒｅｑｕｅｎｃｙ  ＩＤｅｎｔｉｆｉｃａｔｉｏｎ）タグとＲＦ−ＩＤタグ用リーダーライターによるＲＦ−ＩＤタグシステムがある。
バーコードが光学的な読み取りであるため、バーコードとバーコード対応リーダ−を正対させる必要があり、バーコードが汚れる環境下では使用が制限される等の条件が必要であった。
これに対して、ＲＦ−ＩＤタグシステムは、電磁誘導方式等によるため、ＲＦ−ＩＤタグ用リーダーライターとを正対させる必要が無く、利用環境環境の制限が少ない等でバーコードより、多くの利点がある。
物流管理用途以外にもＲＦ−ＩＤタグシステムは、今後利用範囲が拡大すると期待されている。
また、従来から、放送あるいはインターネット等の通信回線よりの気象情報を自動的に受信・蓄積するシステムは存在し、例えば、特許文献１で公開されている発明がある。
【特許文献１】特開平１０−１２７５５５０
【０００３】
すなわち、特許文献１では、放送あるいは通信回線を介して提供される気象データを受信・蓄積し、各ユーザに密接な気象情報を自動的に選択・表示すると同時に、表示画面上でユーザの居住地域を明示する。さらに、表示画面上でユーザの居住地域を明示するために、郵便番号に対応した画面地図上の位置を予めテーブルとして保持しておくことが開示されている。また、ユーザの操作に応じて、その居住地域以外であっても、ユーザが希望する地域の気象情報を容易に選択表示することも可能であることが開示されている。
【発明の開示】
【発明が解決しようとする課題】
【０００４】
特許文献１の発明では、居住地区の気象情報を自動的に入手や蓄積が可能である。しかし、例えば、主婦が、屋根のない洗濯物干場に洗濯物を干して、在宅中に表示画面上に居住地域の降水確率などが高まった場合に洗濯物を取り込めることが可能であるが、外出時の場合には、居住地位の気象情報を把握できない欠点がある。
本発明は、上記問題点に鑑みてなされたものであり、本発明は、今後普及が期待されるＲＦ−ＩＤタグシステムを利用し、ＲＦ−ＩＤタグ用リーダーライターとＲＦ−ＩＤタグよりなる検出手段があり、ＲＦ−ＩＤタグ用リーダーライターがＲＦ−ＩＤタグ装着された洗濯物が屋根のない洗濯物干場に干されている状態を自動的に検知し、インターネットより入手した気象情報の降水確率等が予め設定された数値を上回った場合に、予め登録された携帯端末に対して、注意を促す目的で、気象情報や特定のメッセージを配信する自動通知システムであり、外出時にも居住地域の気象関連情報の入手が可能である。
【課題を解決するための手段】
【０００５】
上記課題を解決するための本発明の第１の要旨は、ＲＦ−ＩＤタグ用リーダーライターとＲＦ−ＩＤタグよりなる自動認識物体検出手段と気象データ取得手段と、前記物体検出手段と気象情報取得手段からの情報に基づき特定の携帯端末に対して情報配信する情報配信手段とからなる情報配信通知システムである。
上記課題を解決するための本発明の第２の要旨は、ＲＦ−ＩＤタグを搭載する利用者カードをＲＦ−ＩＤタグ用リーダーライターにかかげて、状態を検出手段と気象データ取得手段と、前記物体検出手段と気象情報取得手段からの情報に基づき特定の携帯端末に対して情報配信する情報配信手段とからなる情報配信通知システムである。
【発明の効果】
【０００６】
管理用パソコンとＲＦ−ＩＤタグ用リーダーライターを無線もしくは有線にて接続し、ＲＦ−ＩＤタグが装着されている洗濯物を自動認識する。すなわち、利用者が、パソコンに洗濯物が干されているか否かの情報を登録することは不要なのである。
そして、管理用パソコンは、ＲＦ−ＩＤタグＲＦ−ＩＤタグが装着された洗濯物を自動認識し、インターネットより入手した気象情報の降水確率等が予め設定された数値を上回った場合には、自動的に予め登録された携帯端末に対して、気象情報を配信するため、身近にある構成要素を活用し、利用者の利便性が高い気象情報自動通知システムを構築するものである。
【発明を実施するための最良の形態】
【０００７】
以下、本発明の実施の形態について、図面を参照しながら説明する。
図１は、実施例１に係るＲＦ−ＩＤタグを利用した気象情報システムの全体構成を示すブロック図である。
図２は、実施例１の具体的な利用を説明するフローである。
図３は、実施例２に係るＲＦ−ＩＤタグを利用した気象情報システムの全体構成を示すブロック図である。
図４は、実施例２の具体的な利用を説明するフローである。
【実施例１】
【０００８】
図１は実施例１に係るＲＦ−ＩＤタグを利用した気象情報システムの全体構成を示すブロック図である。図１には、ＲＦ−ＩＤタグ１が装着された洗濯物２が屋根のない干し物場の洗濯ハンガー等３により干されている状態と、干し物場に設置してあるＲＦ−ＩＤタグ用リーダーライター４が無線もしくは有線にて管理用パソコン５に接続されている状態と、この管理用パソコン５はインターネット６で気象情報を提供する企業等のデータサイト７に接続されており、さらに、インターネット６を通じ、ゲートウェイ装置８と、携帯電話の基地局９と、携帯電話１０よりなるものが示されている。
なお、ＲＦ−ＩＤタグ１とＲＦ−ＩＤタグ用リーダーライター３の非接触交信距離は、長距離交信が可能なものが好ましい。
【０００９】
管理用パソコン５と無線もしくは有線にて接続されているＲＦ−ＩＤタグ用リーダーライター５は、ＲＦ−ＩＤタグ１が装着されている洗濯物２がなけば、ＲＦ−ＩＤタグ１の検出情報を発信しない。これは、利用者が管理用パソコン５に、意識して洗濯物２が干されている状態を設定しなくても、自動的にＲＦ−ＩＤタグ１が装着された洗濯物２が干されていることを認識することを意味する。
さらに、ＲＦ−ＩＤタグ１が装着された洗濯物２が取り込まれた状態では、ＲＦ−ＩＤタグ用リーダーライター４がＲＦ−ＩＤタグ１の検出情報を発信できないため、ＲＦ−ＩＤタグ１が装着された洗濯物２が取り込まれた状態を自動認識する。
このため、利用者が、一切の管理用パソコン５にＲＦ−ＩＤタグ１が装着された洗濯物２が干されているか否かの情報を登録することは不要である。そして、管理用パソコン５は、ＲＦ−ＩＤタグ１が装着された洗濯物２を自動認識し、ＲＦ−ＩＤタグ１が装着された洗濯物２を自動認識した場合のみに、インターネット６を通じて気象情報を提供する企業等のデータサイト７よりの定期的に入手する気象情報の中で、降水確率等の予め管理用パソコン５で設定した数値を上回った場合にのみ、予め登録されている携帯電話１０のメールアドレスに対して、気象情報や特定メッセージを配信する自動通知システムである。
【００１０】
携帯電話１０は、利用者が位置する無線エリア内に設置された基地局９との間で所定の通信方式に従って無線通信を行い、音声データや各種制御データを送受信するものであるものである。
さらに、ゲートウェイ装置８は、管理用パソコン５より携帯電話１０に気象情報等のデータ通信を行う際に、インターネット６と基地局９との間を伝送するデータに対し、ＴＣＰ／ＩＰ（Ｔｒａｎｓｍｉｓｓｉｎ  Ｃｏｎｔｒｏｌ  ／Ｉｎｔｅｒｎｅｔ  Ｐｒｏｔｏｃｏｌ）のプロトコル変換を行って、インターネット６に携帯電話１０を接続する役割を担うものである。
また、気象情報データサイト７は、インターネット６に設けられた気象情報を提供する企業等のサーバであり、管理用パソコン５に対し、気象情報に関連するデータサービスを提供する役割を担うものである。
【００１１】
図２は、実施例１の具体的な利用を図２に示すフロー図で説明する。
（１）ＲＦ−ＩＤタグ１が装着されている洗濯物２を、洗濯後に洗濯ハンガー等３にかけ洗濯干し場に干す。（ステップ１０１）
（２）洗濯ハンガー等３の近傍に設置したＲＦ−ＩＤタグ用リーダーライター４がＲＦ−ＩＤタグ１が装着された洗濯物２があること自動認識する。（ステップ１０２）
（３）ＲＦ−ＩＤタグ用リーダーライター４は、管理用パソコン５に自動認識結果を送信する。（ステップ１０３）
（４）管理用パソコン５は、ＲＦ−ＩＤタグ用リーダーライター４がＲＦ−ＩＤタグ１が装着されている洗濯物２を検出している場合のみ、インターネット６より入手した気象情報を入手する。（ステップ１０４）
（５）管理用パソコンは、気象情報の降水確率などが予め設定された数値を上回った場合に予め登録されている携帯電話１０のメールアドレスに対して、注意を呼びかけるために気象情報のメールを自動的に発信する。（ステップ１０５）
【００１２】
上述の実施例１では、洗濯物にＲＦ−ＩＤタグ１がすべて装着されている前提で説明したが、本発明のＲＦ−ＩＤタグを利用した気象情報システムは、これに限定するものではなく、すべての洗濯物にＲＦ−ＩＤタグ１を装着せずに洗濯ハンガ−等３に装着したものであってもよい。
ただし、この場合は、ＲＦ−ＩＤタグ用リーダーライター４が設置された干し物場にＲＦ−ＩＤタグ１が装着されている洗濯ハンガー等を置きわすれた場合は、洗濯物がないにももかかわらず、登録されたメールアドレスの携帯電話１０に気象情報が自動発信されてしまう。このため、干し物場にＷｅｂカメラ等設置し、気象情報とともに干し物場の画像を共に送信すれば、携帯電話１０の保有者の混乱を避けることが可能である。
すなわち、洗濯物がなくとも気象情報が携帯電話１０に自動配信され、携帯電話１０の保有者が、洗濯物を干しているか否か忘れた場合等に備え、洗濯物干場の状態を画像で確認できるようにするものである。
【実施例２】
【００１３】
実施例２として、請求項２に記載のＲＦ−ＩＤタグを利用者カードに搭載し、利用者がＲＦ−ＩＤタグ用リーダーライターにかざすことによる検出手段と気象データ取得手段と、前記検出手段と気象情報取得手段からの情報に基づき特定の携帯端末等に対して情報自動配信する情報通知システムの発明の実施例を公開する。
【００１４】
図３は実施例２に係るＲＦ−ＩＤタグを利用した気象情報システムの全体構成を示すブロック図である。図３には、マリンスポーツでヨット等の利用を想定し、ヨットハーバーに設置してある近接型ＲＦ−ＩＤタグ用リーダーライター１１が、有線にてもしくは無線にて、管理用パソコン５に接続されている状態と、この管理用パソコン５には、インターネット６で気象情報を提供する企業等のデータサイト７が接続されており、さらに、インターネット６を通じ、携帯電話１０のゲートウェイ装置８と、基地局９と、携帯電話１０よりなるものが示されている。なお、ＲＦ−ＩＤタグ搭載利用者カード１２の不揮発性メモリーには、予め利用者のＩＤ情報や携帯電話のメールアドレスが登録されている。
【００１５】
さらに、実施例２の場合のＲＦ−ＩＤタグ搭載利用者カード１２と近接型ＲＦ−ＩＤタグ用リーダーライター１１の非接触通信距離は、数センチ程度のもので十分である。
実施例２の構成システムは、ＲＦ−ＩＤタグ搭載利用者カード１２とＲＦ−ＩＤタグ用リーダーライター１１、管理用パソコン５に搭載するソフトが異なるが、他の構成要素である管理用パソコン５、インターネット６，気象情報データサイト７、ゲートウェイ装置８、基地局９、携帯電話１０は、実施例１のものと同じである。
【００１６】
図４は、実施例２の具体的な利用を図２に示すフロー図で、ヨットが出港した情報を自動で登録及び抹消が可能で、出港情報が管理用パソコン５に登録されているヨット利用者の携帯電話１０に気象情報を配信する自動通知システムを説明するためのものである。
（１）ヨット利用者は、予めＩＤ情報や携帯電話のメールアドレスが登録されているＲＦ−ＩＤタグ搭載利用者カード１２をヨットハーバーに設置している近接型ＲＦ−ＩＤタグ用リーダーライター１１にかかげ利用者情報を読み取る取らせる。（ステップ２０１）
（２）近接型ＲＦ−ＩＤタグ用リーダーライター１１は、無線もしくは有線にて管理用パソコン５に接続され、非接触にて読み取った利用者情報を送信する。（ステップ２０２）
（３）管理用パソコン５は、近接型ＲＦ−ＩＤタグ用リーダーライター１１が利用者のＲＦ−ＩＤタグ搭載利用者カード１２より非接触で読み取ったＩＤ情報がある場合。すなわち、ヨットが出港している場合は、次のステップに進める。（ステップ２０３）
（４）管理パソコン５は、インターネット６を通じて入手した気象情報が降水確率などが、予め設定された数値を上回った場合は、次のステップに進める。（ステップ２０４）
（５）管理用パソコン５は、ＲＦ−ＩＤタグ搭載利用者カード１２より予め登録されたヨット利用者の携帯電話１０のメールアドレスに対して、注意を呼びかけるメールを自動発信する。（ステップ２０５）
（６）ヨット利用者は、ヨットハーバーに寄港し、ヨットより、下船した際には、近接型ＲＦ−ＩＤタグ用リーダーライター１１に予め予めＩＤ情報や携帯電話のメールアドレスが登録されているＲＦ−ＩＤタグ搭載利用者カード１２をかかげ、管理用パソコン５に下船したことを通知する。（ステップ２０６）
【００１７】
上述の実施例２では、マリンススポーツの場合について説明したが、本発明のＲＦ−ＩＤタグを利用した気象情報システムは、これに限定するものではなく、登山にても利用が可能である。すなわち、登山者は、例えば、予めＩＤ情報と携帯電話のメールアドレスをＲＦ−ＩＤタグ搭載利用者カード１２に搭載されている不揮発性メモリーに記録ておき、入山時に麓のビジターセンター等に設置してある近接型ＲＦ−ＩＤタグ用リーダーライター１１にかざして、管理用パソコン５に登録する。
気象情報データサイトより山の天候が荒れる兆候を管理用パソコン５がインターネット６を通じて入手した場合には、管理用パソコン５が入山した登山者の予めＲＦ−ＩＤタグ搭載利用者カード１２により登録された携帯電話１０のメールアドレスに気象データを送信し、登山者に注意を促すものであってもよい。
なお、登山者は、下山時には、ＲＦ−ＩＤタグ搭載利用者カード１２をビジターセンターの近接型ＲＦ−ＩＤタグ用リーダーライター１１にかかげ、下山したことを管理用パソコン５に通知する。
以上により、登山者情報を自動で登録及び抹消が可能で、入山情報が管理用パソコン５に登録されている登山者の携帯電話１０に気象情報を配信する自動通知システムである。
【００１８】
上述の実施例はいずれも携帯電話を利用する場合について説明したが、本発明はこれに限定することなく、移動体通信機能を備えたモバイルパソコンやＰＤＡ（Ｐｅｒｓｏｎａｌ  Ｄｉｇｉｔａｌ  Ａｓｓｉｓｔａｎｔ）等の携帯情報端末であってもよい。
【産業上の利用可能性】
【００１９】
本発明は、物流等で普及の兆しが見えるＲＦ−ＩＤタグを物及び人物の状態を検知する手段に活用し、その状態に於いて、インターネットより入手する気象データが予め設定された状況になった場合に、その状態を設定した携帯電話等の携帯端末の保有者に自動的に注意を促す目的で連絡するのものである。
パソコン、インターネット、携帯電話等の身近にある構成要素によりなされた発明でありるため、前記の実施例等に限定されることなく、広範囲な利用が期待できる。
【図面の簡単な説明】
【００２０】
【図１】実施例１に係るＲＦ−ＩＤタグを利用した気象情報システムの全体構成を示            すブロック図である。
【図２】実施例１の具体的な利用を説明するフロー図である。
【図３】実施例２に係るＲＦ−ＩＤタグを利用した気象情報システムの全体構成を示            すブロック図である。
【図４】実施例２の具体的な利用を説明するフロー図である。
【符号の説明】
【００２１】
１………ＲＦ−ＩＤタグ
２………ＲＦ−ＩＤタグが装着された洗濯物
３………洗濯ハンガー等
４………ＲＦ−ＩＤタグ用リーダーライター
５………管理用パソコン
６………インターネット
７………気象情報を提供する企業等のデータサイト
８………ゲートウェイ装置
９………基地局
１０……携帯電話
１１……近接型ＲＦ−ＩＤリーダーライター
１２……ＲＦ−ＩＤタグ搭載利用者カード
【図１】
2005267149.tif 000003
【図２】
2005267149.tif 000004
【図３】
2005267149.tif 000005
【図４】
2005267149.tif 000006